(57)【要約】【課題】利用者が手元操作器のボタンを操作しなくても、利用者毎に最適な空調制御を実現しうる空調制御システムを提供する。【解決手段】携帯通信端末５の所持者が空調機グループＡ、Ｂのエリアに入ったとき、携帯通信端末５は基地局２Ａ、２Ｂからのポーリングによる空調運転データの送信要求に応答して空調運転データを送信し、基地局２Ａ、２Ｂは空調運転データが受信されたときにその空調運転データに識別番号を付与して集中制御装置３７に送信し、集中制御装置３７は識別番号から空調機の室内機３Ａ、３Ｂを特定して空調運転データを運転指令として送信する。【選択図】        図１
2004293944.tif 000002
【特許請求の範囲】
【請求項１】
１台或いは複数台の空気調和機と、
各空気調和機にそれぞれ設けられた基地局と、
各空気調和機を運転管理する集中制御装置と、
空気調和機の運転に関わるデータを有する携帯通信端末とを備え、
前記基地局は、無線を通じて前記携帯通信端末を検知したとき、当該携帯通信端末のデータに基づいて、該当する空気調和機が運転されるように前記集中制御装置に通知することを特徴とする空調制御システム。
【請求項２】
前記基地局は、無線を通じて前記携帯通信端末を検知できなくなったとき、該当する空気調和機の運転を停止するように前記集中制御装置に通知することを特徴とする請求項１記載の空調制御システム。
【請求項３】
前記携帯通信端末のデータは空気調和機を運転制御するための空調運転データであり、前記無線は基地局から定期的に送信される問い合わせ信号であり、前記携帯通信端末は、問い合わせ信号が受信されたときに空調運転データを送信し、前記基地局は、運転対象の空気調和機を特定する識別情報を有し、前記問い合わせ信号の送信により空調運転データが受信されたとき、前記携帯通信端末を検知したと判断して、その空調運転データに前記識別情報を付与して送信し、前記集中制御装置は、前記識別情報に対応する空気調和機に前記空調運転データを送信することを特徴とする請求項１又は２記載の空調制御システム。
【請求項４】
前記携帯通信端末のデータは空気調和機を運転制御するための空調運転データであり、前記無線は基地局から定期的に送信される問い合わせ信号であり、前記携帯通信端末は、制御の優先順位を決定する制御順位データを有し、前記問い合わせ信号が受信されたときに前記空調運転データにその制御順位データを付与して送信し、前記基地局は、前記問い合わせ信号の送信により制御順位データの付与された空調運転データが受信されたとき、前記携帯通信端末を検知したと判断して、それらのデータに前記識別情報を付加して送信し、前記集中制御装置は、前記制御順位データ及び前記識別情報の付与された空調運転データが受信されたとき、前記制御順位データに基づいて前記識別情報に対応する空気調和機に前記空調運転データを送信するかどうかを判別することを特徴とする請求項１又は２記載の空調制御システム。
【請求項５】
前記携帯通信端末のデータは当該携帯通信端末を識別するための端末識別情報であり、前記無線は基地局から定期的に送信される問い合わせ信号であり、前記携帯通信端末は、問い合わせ信号が受信されたときに前記端末識別情報を送信し、前記基地局は、運転対象の空気調和機を特定する識別情報を有し、前記問い合わせ信号の送信により前記端末識別情報が受信されたとき、前記携帯通信端末を検知したと判断して、その端末識別情報に前記識別情報を付与して送信し、前記集中制御装置は、前記端末識別情報に対応して空調運転データが設定され、前記識別情報の付与された端末識別情報が受信されたとき、前記識別情報に対応する空気調和機に前記端末識別情報に基づく空調運転データを送信することを特徴とする請求項１又は２記載の空調制御システム。
【請求項６】
前記集中制御装置は、前記空調運転データに加えて制御の優先順位を決定する制御順位データを有し、前記識別情報の付与された端末識別情報が受信されたとき、前記制御順位データに基づいて前記識別情報に対応する空気調和機に前記端末識別情報に基づく空調運転データを送信するかどうかを判別することを特徴とする請求項５記載の空調制御システム。
【請求項７】
前記基地局による空気調和機への停止通知は、空気調和機の運転を停止させる空調停止データであり、当該基地局は、定期的に繰り返し送信する前記問い合わせ信号により前記空調運転データが受信されなくなったとき、前記携帯通信端末を検知できなくなったと判断して、前記空調停止データに前記識別情報を付与して前記集中制御装置に送信することを特徴とする請求項３〜６の何れかに記載の空調制御システム。
【請求項８】
前記集中制御装置は、空気調和機の運転状態に応じて設定された課金情報を有し、空気調和機の運転終了時に課金情報を判別して携帯通信端末毎に管理することを特徴とする請求項１〜７の何れかに記載の空調制御システム。
【請求項９】
前記基地局は、空気調和機の手元制御のための操作入力機能を有することを特徴とする請求項１〜７の何れかに記載の空調制御システム。
【発明の詳細な説明】
【０００１】
【発明の属する技術分野】
本発明は、例えば複数台の空気調和機を運転制御する空調制御システムに関するものである。
【０００２】
【従来の技術】
従来の空調制御システムは、室内機及び室外機からなる空気調和機（以下、単に「空調機」とい）と手元操作器を１グループとして、各グループの空調機を集中制御装置が運転管理するようになっている。そして、手元操作器からも個々の空調機の運転を制御できるようになっている（例えば、特許文献１参照）。
【０００３】
【特許文献１】
特開平９−２５７２９６号公報（第３頁〜第４頁、図１〜図３）
【０００４】
【発明が解決しようとする課題】
前述した従来の空調制御システムでは、利用者が空調機を運転する場合、壁などに設置されている手元操作器を操作する必要があった。通常、会議室など小部屋単位で空調機のグループが構成されているため、空調機の電源を消し忘れて退出することがあった。また、手元操作器は、一般に大人の健常者が立った状態で使用することを想定した高さに設置されることが多く、このため、車椅子を利用している人にとっては操作が行いにくく、視覚障害者にとっては手元操作器の設置位置がわかりにくかった。
さらに、社内など多くの人間が居るような場所では、省エネを優先して空調機の運転に制約を設けるようにしているが、来客があった場合、快適性を優先してその制約を解除するといった制御のプライオリティを設定することが困難であった。また、特定の部屋を複数の人間が交代で使用した場合は、利用者毎に課金行うことが困難といった課題があった。
【０００５】
本発明は、かかる課題を解決するためになされたもので、利用者が手元操作器のボタンを操作しなくても、利用者毎に最適な空調制御を実現しうる空調制御システムを提供することを目的とする。
【０００６】
【課題を解決するための手段】
本発明に係る空調制御システムは、１台或いは複数台の空気調和機と、各空気調和機にそれぞれ設けられた基地局と、各空気調和機を運転管理する集中制御装置と、空気調和機の運転に関わるデータを有する携帯通信端末とを備え、基地局は、無線を通じて携帯通信端末を検知したとき、その携帯通信端末のデータに基づいて、該当する空気調和機が運転されるように集中制御装置に通知する。
【０００７】
【発明の実施の形態】
実施の形態１．
図１は本発明の実施の形態１を示す空調制御システムのブロック構成図、図２は実施の形態１の空調制御システムにおける携帯通信端末の構成を示す回路ブロック図、図３は実施の形態１の空調制御システムにおける基地局の構成を示す回路ブロック図である。
実施の形態１の空調制御システムは、基地局２Ａ、室内機３Ａ及び室外機４Ａからなる空調機グループＡと、このグループＡと同様に、基地局２Ｂ、室内機３Ｂ及び室外機４Ｂからなる空調機グループＢと、例えばカード状に形成された携帯通信端末５と、各空調機グループＡ，Ｂの基地局２Ａ，２Ｂと室内機３Ａ，３Ｂ及び室外機４Ａ，４Ｂとにそれぞれ通信線７を介して接続された集中制御装置３７とで構築されている。
【０００８】
携帯通信端末５は、図２に示すように制御部１０と、空調機を運転させるための温度や風量等の空調運転データが格納された記憶装置１１と、送信回路８及び受信回路９とを備えている。制御部１０は、例えば基地局２Ａ、２Ｂからの定期的なポーリングによる空調運転データの送信要求を受信回路９を通じて受信すると、記憶装置１１に格納されている空調運転データを読み出し、送信回路を介して基地局２Ａ、２Ｂに送信する。
【０００９】
基地局２Ａ、２Ｂは、携帯通信端末５との間でデータの送受信を行う送信回路１２及び受信回路１３と、制御部１４と、運転対象の空気調和機を特定する識別情報例えば室内機３Ａ、３Ｂを識別するための識別番号、及び空調停止データが格納された記憶装置１５と、集中制御装置３７との間で通信線７を介してデータの送受信を行う送信回路１６及び受信回路３８とで構成されている。制御部１４は、前述したように定期的にポーリングによる空調運転データの送信要求を送信回路１６を介して繰り返し送信し、このポーリングにより空調運転データが受信回路１３を通じて受信されたときは、記憶装置１５に格納されている識別番号を読み出し、その空調運転データに付与して送信回路１６から通信線７を介して集中制御装置３７に送信する。この時、例えば時間の測定を開始し、この測定時間が所定時間経過してもポーリングによる空調運転データが受信されなかったときは、携帯通信端末５の所持者が空調機グループＡ、Ｂのエリアから外側に出たと判断して、空調停止データに識別番号を付与して集中制御装置３７に送信し、この空調停止データの送信により空調機が停止された旨のデータが受信回路３８を介して受信されたときは、その状態を認識し、かつ、繰り返し行っている空調運転データの送信要求を継続する。前述したエリアは、ポーリングによる無線通信が行える範囲内である。
【００１０】
集中制御装置３７は、識別番号の付与された空調運転データが受信されると、その識別番号から空調機グループＡ、Ｂの室内機３Ａ、３Ｂの何れかを特定して、そのグループの室内機に空調運転データを運転指令として送信し、識別番号の付与された空調停止データが受信されたときは、前記と同様に識別番号からグループの室内機を特定して停止させ、かつ、その旨を知らせるデータに前記の識別番号を付与して基地局２Ａ、２Ｂ側へ送信する。
【００１１】
次に、実施の形態１の動作を図４に示すシーケンス図に基づいて説明する。
携帯通信端末５の所持者が例えば空調機グループＡのエリアに入ると、携帯通信端末５が、基地局２Ａから定期的に繰り返し送信されている空調運転データの送信要求を受信し、これに応答して空調運転データを基地局２Ａに送信する（ステップ１）。基地局２Ａは、空調運転データが受信されたとき、記憶装置１５から識別番号を読み出してその空調運転データに付与し、通信線７を介して集中制御装置３７に送信する（ステップ２）。集中制御装置３７は、識別番号の付与された空調運転データが受信されると、その識別番号から空調機グループＡの室内機３Ａを特定して、空調運転データを運転指令として送信する（ステップ３）。
【００１２】
また、携帯通信端末５の所持者が空調機グループＢのエリアに入った場合は、携帯通信端末５が基地局２Ｂからの空調運転データの送信要求を受信し、これに応答して空調運転データを基地局２Ｂに送信する（ステップ４）。この基地局２Ｂは、空調運転データが受信されると、記憶装置１５から識別番号を読み出してその空調運転データに付与し、通信線７を介して集中制御装置３７に送信する（ステップ５）。集中制御装置３７は、識別番号の付与された空調運転データが受信されると、その識別番号から空調機グループＢの室内機３Ｂを特定して、そのグループＢの室内機３Ｂに空調運転データを運転指令として送信する（ステップ６）。
【００１３】
この図４に図示していないが、各基地局２Ａ、２Ｂは、識別番号を付与した空調運転データを集中制御装置３７に送信した際に、時間の測定を開始し、この測定時間が所定時間経過する前にポーリングによる空調運転データが受信されたときは、空調運転データの送信要求を繰り返し行い、測定時間が所定時間経過してもポーリングによる空調運転データが受信されなかったときは、携帯通信端末５の所持者が空調機グループＡ、Ｂのエリアから外側に出たと判断して、記憶装置１５から空調停止データを読み出して識別番号を付与し、通信線７を介して集中制御装置３７に送信する。この時、集中制御装置３７は、空調停止データに付与された識別番号から室内機３Ａ、３Ｂを特定して、それぞれの室内機３Ａ、３Ｂを停止させると共に、その旨を知らせるデータを各基地局２Ａ、２Ｂに送信する。
【００１４】
以上のように実施の形態１によれば、携帯通信端末５の所持者が空調機グループＡ、Ｂのエリアに入ったとき、携帯通信端末５が基地局２Ａ、２Ｂからの空調運転データの送信要求に応答して空調運転データを送信し、基地局２Ａ、２Ｂがその空調運転データに識別番号を付与して集中制御装置３７に送信し、集中制御装置３７から空調機の室内機３Ａ、３Ｂを運転させるようにしたので、手元操作器を操作しなくても空調機を操作することができ、車椅子の利用者や視覚障害者にとって使い勝手がよいという効果がある。
【００１５】
また、空調機の運転後に携帯通信端末５からの空調運転データが所定時間経過しても基地局２Ａ、２Ｂに受信されなかったときは、携帯通信端末５の所持者が空調機グループＡ、Ｂのリアから外側に出たと判断して、空調機を自動的に停止させるようにしたので、空調機の電源を消し忘れるということがなくなった。
【００１６】
実施の形態２．
図５は本発明の実施の形態２を示す空調制御システムのブロック構成図、図６は実施の形態２の空調制御システムにおける携帯通信端末の構成を示す回路ブロック図である。なお、図１乃至図３で説明した実施の形態１と同一又は相当部分には同じ符号を付し説明を省略する。
【００１７】
図１及び図２に示す携帯通信端末１９Ａ、１９Ｂは、記憶装置２１に空調運転データに加えて、制御のプライオリティの有無を通知するデータが格納されている。例えば、携帯通信端末１９Ａの記憶装置２１には制御の非優先を通知する制御非優先データが格納されており、携帯通信端末１９Ｂの記憶装置２１には制御の優先を通知する制御優先データが格納されている。携帯通信端末１９Ａの制御部２０は、基地局２Ａ、２Ｂからの定期的なポーリングによる空調運転データの送信要求が受信されると、記憶装置２１から空調運転データと制御非優先データとを読み出し、送信回路８を介して基地局２Ａ、２Ｂに送信する。また、携帯通信端末１９Ｂの制御部２０は、前記と同様に基地局２Ａ、２Ｂからの空調運転データの送信要求が受信されると、記憶装置２１から空調運転データと制御優先データとを読み出し、送信回路８を介して基地局２Ａ、２Ｂに送信する。
【００１８】
集中制御装置１８は、例えば、制御非優先データが付与された空調運転データに基づいて空調機の室内機３Ａを運転しているときに、制御優先データの受信を検知したときは、制御優先データの付与された空調運転データに基づいてその室内機３Ａを運転する。つまり、前者の空調運転データが温度「低」、風量「弱」のときに、後者の空調運転データが温度「中」、風量「中」のときはそのデータの内容に移行して室内機３Ａを運転する。
【００１９】
次に、実施の形態２の動作を図７に示すシーケンス図に基づいて説明する。
携帯通信端末１９Ａの所持者が空調機グループＡのエリアに入ると、携帯通信端末１９Ａが、基地局２Ａから定期的に繰り返し送信されている空調運転データの送信要求を受信し、これに応答して空調運転データに制御非優先データを付与して基地局２Ａに送信する（ステップ１）。基地局２Ａは、そのデータが受信されると、記憶装置１５から識別番号を読み出してその受信データに付与し、通信線７を介して集中制御装置３７に送信する（ステップ２）。一方、集中制御装置３７は、識別番号と制御非優先データの付与された空調運転データが受信されると、その識別番号から空調機グループＡの室内機３Ａを特定する。この時、室内機３Ａが運転しているかどうかを判別し、運転しているときは、何れの空調運転データが優先かどうかの判定に入るが、この時点では、室内機３Ａが運転していないので、受信された空調運転データを運転指令として空調機グループＡの室内機３Ａに送信する（ステップ３）。
【００２０】
グループＡの空調機が運転しているときに、携帯通信端末１９Ｂの所持者がそのグループＡのエリアに入ることにより、携帯通信端末１９Ｂから制御優先データの付与された空調運転データが基地局２Ａに送信され（ステップ４）、基地局２Ａによって、そのデータに識別番号が付与されて集中制御装置３７に送信されると（ステップ５）、集中制御装置３７は、その識別番号から空調機グループＡの室内機３Ａを特定し、運転中かかどうかを判別する。この場合は、グループＡの空調機は運転中であるため、先に受信された空調運転データに付与された制御非優先データと今回受信された空調運転データに付与された制御優先データとで何れが優先かどうかを判別する。今回の方が優先であるため、その空調運転データを運転指令として室内機３Ａに送信し、運転内容を切り換える（ステップ６）。
【００２１】
また、運転していない空調機グループＡのエリアに携帯通信端末１９Ｂの所持者が入った場合は、携帯通信端末１９Ｂが基地局２Ａからの空調運転データの送信要求に応答して、空調運転データに制御優先データを付与し基地局２Ａに送信する（ステップ７）。基地局２Ａは、そのデータが受信されると、記憶装置１５から識別番号を読み出してその受信データに付与し、通信線７を介して集中制御装置３７に送信する（ステップ８）。集中制御装置３７は、識別番号と制御優先データの付与された空調運転データが受信されると、その識別番号から空調機グループＡの室内機３Ａを特定する。そして、室内機３Ａが運転しているかどうかの判別に入るが、前述したように室内機３Ａが運転していないので、受信された空調運転データを運転指令として室内機３Ｂに送信する（ステップ９）。
【００２２】
グループＡの空調機が運転しているときに、携帯通信端末１９Ａの所持者がそのグループＡの空間に入ることにより、携帯通信端末１９Ａから制御非優先データの付与された空調運転データが基地局２Ａに送信され（ステップ１０）、基地局２Ａによって、そのデータに識別番号が付与されて集中制御装置３７に送信されると（ステップ１１）、集中制御装置３７は、その識別番号から空調機グループＡの室内機３Ａを特定し、運転中かかどうかを判別する。この場合は、前述したようにグループＡの空調機は運転中であるため、先に受信された空調運転データに付与された制御優先データと今回受信の空調運転データに付与された制御非優先データとで何れが優先かどうかを判別する。先に受信された空調運転データの方が優先であるため、今回受信された空調運転データによる室内機３Ａの運転を無効にし（ステップ１２）、先に受信された空調運転データによる室内機３Ａの運転を継続する。
【００２３】
なお、グループＡ、Ｂの各空調機の停止は、前述したように携帯通信端末１９Ａ、１９Ｂの所持者が空調機グループＡ、Ｂの空間から外側に出たときで、この場合の動作説明については、実施の形態１と同様であるため割愛する。
【００２４】
以上のように実施の形態２によれば、制御非優先データが設定された携帯通信端末１９Ａと、制御優先データが設定された携帯通信端末１９Ｂとを用意し、グループＡ、Ｂの各空調機が携帯通信端末１９Ａに設定された空調運転データで運転されているときに、携帯通信端末１９Ｂの所持者がグループＡ、Ｂのエリアに入った場合、携帯通信端末１９Ａの空調運転データに基づく各空調機の運転を中断して、携帯通信端末１９Ｂに設定されている制御優先の空調運転データで各空調機が運転されるので、多くの人間が混在する部屋では、優先すべき運転内容で空調機を操作することが可能になるという効果がある。
【００２５】
実施の形態３．
図８は本発明の実施の形態３を示す空調制御システムのブロック構成図、図９は実施の形態３の空調制御システムにおける携帯通信端末の構成を示す回路ブロック図、図１０は実施の形態３の空調制御システムにおける基地局の構成を示す回路ブロック図である。
【００２６】
実施の形態３における携帯通信端末２４は、図９に示すように、送信回路８及び受信回路９と、制御部２５と、本端末の識別情報である識別データが格納された記憶装置２６とを備えている。制御部２５は、基地局２３Ａ、２３Ｂからの定期的なポーリングによる識別データの送信要求が受信されると、記憶装置２１から識別データを読み出し、送信回路８を介して基地局２３Ａ、２４Ｂに送信する。
【００２７】
基地局２３Ａ、２３Ｂは、携帯通信端末２４との間でデータの送受信を行う送信回路１２及び受信回路１３と、集中制御装置２２との間で通信線７を介してデータの送受信を行う送信回路１６及び受信回路３８と、制御部２７と、室内機３Ａ、３Ｂを識別するための識別番号が格納された記憶装置２８とを備えている。制御部２７は、前述したように定期的なポーリングによる識別データの送信要求を送信回路１６を介して繰り返し送信し、このポーリングにより識別データが受信回路１３を通じて受信されたときは、記憶装置２８に格納されている識別番号を読み出し、その識別データに付与して送信回路１６から通信線７を介して集中制御装置２２に送信する。そして、前述したように所定時間経過してもポーリングによる識別データが受信されなかったときは、携帯通信端末２４の所持者が空調機グループＡ、Ｂのエリアから外側に出たと判断して、空調停止データに識別番号を付与して集中制御装置２２に送信し、この空調停止データの送信により空調機が停止された旨のデータが受信回路３８を介して受信されたときは、その状態を認識し、かつ、繰り返し行っている識別データの送信要求を継続する。
【００２８】
集中制御装置２２は、携帯通信端末２４の識別データに対応して空調運転データが設定されており、識別番号の付与された識別データが受信されたときは、その識別番号から空調機グループＡ、Ｂの室内機３Ａ、３Ｂを特定すると共に、識別データから空調運転データを判別し、そして、特定した空調機グループＡ、Ｂの室内機３Ａ、３Ｂにその空調運転データを運転指令として送信する。また、識別番号の付与された空調停止データが受信されたときは、前記と同様に識別番号からグループの室内機を判別して停止させ、かつ、その旨を知らせるデータに前記の識別番号を付与して基地局２Ａ、２Ｂ側へ送信する。
【００２９】
次に、実施の形態３の動作を図１１に示すシーケンス図に基づいて説明する。携帯通信端末２４の所持者が空調機グループＡのエリアに入った場合、携帯通信端末２４が、基地局２３Ａから定期的に繰り返し送信されている識別データの送信要求を受信し、これに応答して識別データを基地局２３Ａに送信する（ステップ１）。基地局２３Ａは、識別データが受信されたとき、記憶装置２８から識別番号を読み出してその識別データに付与し、通信線７を介して集中制御装置２２に送信する（ステップ２）。集中制御装置２２は、識別番号の付与された識別データが受信されると、その識別番号から空調機グループＡの室内機３Ａを特定すると共に、識別データに対応して設定された空調運転データを判別し、そして、特定した室内機３Ａにその空調運転データを運転指令として送信する（ステップ３）。
【００３０】
また、携帯通信端末２４の所持者が空調機グループＢのエリアに入った場合は、携帯通信端末２４が基地局２３Ｂからの識別データの送信要求を受信し、これに応答して識別データを基地局２３Ｂに送信する（ステップ４）。この基地局２３Ｂは、識別データが受信されたとき、記憶装置２８から識別番号を読み出してその識別データに付与し、通信線７を介して集中制御装置２２に送信する（ステップ５）。集中制御装置３７は、前述したように、識別番号から空調機グループＢの室内機３Ｂを特定すると共に、識別データに対応して設定された空調運転データを判別し、そして、特定した空調機グループＢの室内機３Ｂにその空調運転データを運転指令として送信する（ステップ６）。
【００３１】
この図１１に図示していないが、各基地局２３Ａ、２３Ｂは、識別番号を付与した識別データを集中制御装置２２に送信した際に、時間の測定を開始し、この測定時間が所定時間経過する前にポーリングによる識別データの受信を確認したときは、空調運転データの送信要求を繰り返し行い、測定時間が所定時間経過してもポーリングによる空調運転データが受信されなかったときは、携帯通信端末２４の所持者が空調機グループＡ、Ｂのエリアから外側に出たと判断して、記憶装置２８から空調停止データを読み出して識別番号を付与し、通信線７を介して集中制御装置２２に送信する。この時、集中制御装置２２は、空調停止データに付与された識別番号から室内機３Ａ、３Ｂを特定して、それぞれの室内機３Ａ、３Ｂを停止させると共に、その旨を知らせるデータを各基地局２３Ａ、２３Ｂに送信する。
【００３２】
以上のように実施の形態３によれば、携帯通信端末２４の所持者が空調機グループＡ、Ｂのエリアに入ったとき、携帯通信端末２４が基地局２３Ａ、２３Ｂからの識別データの送信要求に応答して識別データを送信し、基地局２３Ａ、２３Ｂがその識別データに識別番号を付与して集中制御装置２２に送信し、集中制御装置２２が識別番号から空調機の室内機３Ａ、３Ｂを特定し、かつ、識別データに対応して設定された空調運転データを運転指令として室内機３Ａ、３Ｂに送信するようにしたので、複数枚の携帯通信端末２４に対してそれぞれ異なる空調運転データを集中制御装置２２に設定していた場合には、携帯通信端末２４を使い分けることにより所望の空調機運転が可能になるという効果がある。
【００３３】
また、空調機の運転後に携帯通信端末２４からの空調運転データが所定時間経過しても基地局２３Ａ、２３Ｂに受信されなかったとき、携帯通信端末２４の所持者が空調機グループＡ、Ｂのエリアから外側に出たと判断して、空調機を自動的に停止させるようにしたので、空調機の電源を消し忘れるということがなくなった。
【００３４】
実施の形態４．
図１２は本発明の実施の形態４を示す空調制御システムのブロック構成図、図１３は実施の形態４の空調制御システムにおける携帯通信端末の構成を示す回路ブロック図である。なお、図８乃至図１０で説明した実施の形態３と同一又は相当部分には同じ符号を付し説明を省略する。
【００３５】
図１２及び図１３に示す携帯通信端末３０Ａ、３０Ｂは、それぞれの記憶装置３２に、本端末の識別情報である識別データがそれぞれ格納されている。携帯通信端末３０Ａ、３０Ｂの各制御部３１は、基地局２３Ａ、２３Ｂからの定期的なポーリングによる識別データの送信要求が受信されると、記憶装置３２から識別データを読み出し、送信回路８を介して基地局２３Ａ、２３Ｂに送信する。
【００３６】
集中制御装置２９は、例えば、識別番号に対応して空調機グループＡ、Ｂの室内機３Ａ、３Ｂがそれぞれ設定され、携帯通信端末３０Ａの識別データに対応して制御非優先データと空調運転データとが設定され、携帯通信端末３０Ｂの識別データに対応して制御優先データと空調運転データとが設定されている。それぞれの空調運転データは、実施の形態２で述べたように、データの内容（温度や風量）がそれぞれ異なっている。
【００３７】
次に、実施の形態４の動作を図１４に示すシーケンス図に基づいて説明する。携帯通信端末３０Ａの所持者が空調機グループＡのエリアに入ると、携帯通信端末３０Ａが、基地局２３Ａから定期的に繰り返し送信されている識別データの送信要求を受信し、これに応答して識別データを基地局２３Ａに送信する（ステップ１）。基地局２３Ａは、識別データが受信されると、記憶装置２８から識別番号を読み出してその識別データに付与し、通信線７を介して集中制御装置２９に送信する（ステップ２）。集中制御装置２９は、識別番号の付与された識別データが受信されると、その識別番号から空調機グループＡの室内機３Ａを特定すると共に、識別データに対応して設定された空調運転データを選択する。この時、室内機３Ａが運転しているかどうかを判別し、運転しているときは、何れの空調運転データが優先かどうかの判定に入るが、この時点では、室内機３Ａが運転していないので、選択した空調運転データを運転指令として空調機グループＡの室内機３Ａに送信する（ステップ３）。
【００３８】
グループＡの空調機が運転しているときに、携帯通信端末３０Ｂの所持者がそのグループＡのエリアに入ることにより、携帯通信端末３０Ｂから識別データが基地局２３Ａに送信され（ステップ４）、基地局２３Ａによって、その識別データに識別番号が付与されて集中制御装置２９に送信されると（ステップ５）、集中制御装置２９は、その識別番号から空調機グループＡの室内機３Ａを特定すると共に、識別データに対応して設定された空調運転データを選択する。この時、前述したように室内機３Ａが運転しているかどうかを判別し、この場合は、前述の如く室内機３Ａが運転しているので、先に選択した空調運転データに設定されている制御非優先データと今回の空調運転データに設定されている制御優先データとで何れが優先かどうかを判別する。今回の方が優先であるため、その空調運転データを運転指令として室内機３Ａに送信し、運転内容を切り換える（ステップ６）。
【００３９】
また、停止中の空調機グループＡのエリアに携帯通信端末３０Ｂの所持者が入った場合は、携帯通信端末３０Ｂが基地局２３Ａからの識別データの送信要求に応答して、識別データを基地局２３Ａに送信する（ステップ７）。基地局２３Ａは、その識別データが受信されると、記憶装置２８から識別番号を読み出してその識別データに付与し、通信線７を介して集中制御装置２９に送信する（ステップ８）。集中制御装置２９は、識別番号の付与された識別データが受信されると、その識別番号から空調機グループＡの室内機３Ａを特定すると共に、識別データに対応して設定された空調運転データを選択する。そして、室内機３Ａが運転しているかどうかの判別に入るが、前述したように室内機３Ａが運転していないので、選択した空調運転データを運転指令として空調機グループＡの室内機３Ａに送信する（ステップ９）。
【００４０】
グループＡの空調機が運転しているときに、携帯通信端末３０Ａの所持者がそのグループＡのエリアに入ることにより、携帯通信端末３０Ａから識別データが基地局２３Ａに送信され（ステップ１０）、基地局２３Ａによって識別データに識別番号が付与されて集中制御装置２９に送信されると（ステップ１１）、集中制御装置２９は、その識別番号から空調機グループＡの室内機３Ａを特定し、識別データに対応して設定された空調運転データを選択する。そして、前述したように室内機３Ａが運転しているかどうかを判別し、この場合は、室内機３Ａが運転しているので、先に選択した空調運転データに設定された制御優先データと今回の空調運転データに設定された制御非優先データとで何れが優先かどうかを判別する。先に送信した空調運転データの方が優先であるため、今回選択した空調運転データによる室内機３Ａの運転を無効にし（ステップ１２）、先に選択した空調運転データによる室内機３Ａの運転を継続する。
【００４１】
なお、グループＡ、Ｂの各空調機の停止は、前述したように携帯通信端末３０Ａ、３０Ｂの所持者が空調機グループＡ、Ｂのエリアから外側に出たときで、この場合の動作説明については、実施の形態３と同様であるため割愛する。
【００４２】
以上のように実施の形態４によれば、携帯通信端末３０Ａに対応して制御非優先データを、携帯通信端末３０Ｂに対応して制御優先データをそれぞれ集中制御装置２９に設定し、グループＡ、Ｂの各空調機が携帯通信端末３０Ａにより運転されているときに、携帯通信端末３０Ｂの所持者がグループＡ、Ｂのエリアに入った場合、携帯通信端末３０Ａによる空調運転データに基づく各空調機の運転を中断して、携帯通信端末３０Ｂによる空調運転データで各空調機が運転されるようにしたので、多くの人間が混在する部屋では、優先すべき運転内容で空調機を操作することが可能になるという効果がある。
【００４３】
実施の形態５．
実施の形態５は、例えば、レンタルルーム等の特定の部屋に設置された空調機を携帯通信端末によって運転した場合に、その所持者に使用料金を請求できるように管理するようにしたものであり、以下、図１５及び図１６を用いて説明する。図１５は本発明の実施の形態５を示す空調制御システムのブロック構成図であり、なお、図８乃至図１０で説明した実施の形態３と同一又は相当部分には同じ符号を付し説明を省略する。
【００４４】
図１５に示す集中制御装置３３は、実施の形態３と同様に、識別データと識別番号の受信により空調機グループＡ、Ｂの室内機３Ａ、３Ｂを運転した際、例えば、運転時間の測定を開始し、携帯通信端末２４の所持者が空調機グループＡ、Ｂのエリア、即ち特定の部屋からの退出による運転停止データの受信を検知したときは、測定した運転時間から使用料金を算出して管理する。
【００４５】
次に、実施の形態５の動作を図１６に示すシーケンス図に基づいて説明する。特定の部屋に設置された空調機グループＡのエリアに携帯通信端末２４の所持者が入ると、携帯通信端末２４が、基地局２３Ａからの識別データの送信要求に応答して識別データを基地局２３Ａに送信する（ステップ１）。この時、基地局２３Ａは、受信された識別データに識別番号を付与し、通信線７を介して集中制御装置３３に送信する（ステップ２）。集中制御装置３３は、識別番号の付与された識別データが受信されると、その識別番号から空調機グループＡの室内機３Ａを特定すると共に、識別データに対応して設定された空調運転データを判別する。そして、特定した空調機グループＡの室内機３Ａにその空調運転データを運転指令として送信し（ステップ３）、グループＡの空調機の運転時間の測定を開始する。
【００４６】
この図１６に図示していないが、基地局２３Ａは、識別番号を付与した識別データを集中制御装置３３に送信した際に、時間の測定を開始しており、この測定時間が所定時間経過する前にポーリングによる識別データの受信を確認したときは、空調運転データの送信要求を繰り返し行い、測定時間が所定時間経過してもポーリングによる空調運転データが受信されなかったときは、携帯通信端末２４の所持者が空調機グループＡである部屋から外側に出たと判断して、空調停止データに識別番号を付与し、通信線７を介して集中制御装置３３に送信する。この時、集中制御装置３３は、空調停止データに付与された識別番号から室内機３Ａを特定して運転を停止させると共に、測定した運転時間からグループＡの空調機の使用料金を算出し、受信されてた識別データと関連付けて管理する。
【００４７】
なお、ステップ４〜ステップ６は、特定の部屋に設置された空調機グループＢのエリアに携帯通信端末２４の所持者が入った場合の動作で、前述したステップ１〜ステップ３までの動作とほぼ同じであるため、動作の説明は割愛する。
【００４８】
以上のように実施の形態５によれば、識別データと識別番号の受信により、空調機グループＡ、Ｂのエリアである特定の部屋の室内機３Ａ、３Ｂを運転した際、運転時間の測定を開始し、携帯通信端末２４の所持者がその部屋からからの退出による運転停止データの受信を検知したときは、測定した測定時間から使用料金を算出して管理するようにしたので、特定の部屋を複数の利用者が交代で使用した場合でも、利用者毎に課金を行うことができるという効果がある。
【００４９】
実施の形態６．
実施の形態６は、基地局から手動操作で空調機を運転操作できるようにしたものであり、以下、図１７及び図１８を用いて説明する。図１７は本発明の実施の形態６を示す空調制御システムのブロック構成図、図１８は空調制御システムにおける基地局を示す回路ブロック図である。なお、図１乃至図３で説明した実施の形態１と同一又は相当部分には同じ符号を付し説明を省略する。
【００５０】
本システムにおける基地局３４Ａ、３４Ｂは、図１８に示すように、実施の形態１に示す基地局２Ａ、２Ｂに操作入力部３６を設けて構成されたもので、操作入力部３６によって運転操作が行われたときは、制御部３５がその操作に基づいて空調運転データを生成し、かつ、その空調運転データに識別番号を付与し、送信回路１６から通信線７を介して集中制御装置３７に送信する。
【００５１】
次に、図１７を用いて動作を説明する。実施の形態１で述べたように、携帯通信端末５の所持者が例えば空調機グループＡのエリアに入った場合には、基地局３４Ａによって、携帯通信端末５からの空調運転データが受信され、これに識別番号が付与されて集中制御装置３７に送信され、室内機３Ａを運転させる。一方、操作入力部３６が操作されたときは、前述したように、基地局３４Ａから操作に基づく空調運転データと識別番号とが集中制御装置３７に送信され、室内機３Ａを運転させる。
【００５２】
このように実施の形態６においては、携帯通信端末５に対してポーリングによる空調運転データの送信要求を繰り返し行う基地局３４Ａ、３４Ｂに、手動操作が可能な操作入力部３６を設けたので、携帯通信端末５を所持していない者でも空調機を運転できるという効果がある。
【００５３】
なお、前述した各実施の形態では、集中制御装置を単独の機器として設けた場合について説明したが、集中制御装置に代えて基地局や室内機にその機能を設けて、運転制御を行うようにしても同一の効果が得られることはいうまでもない。
【００５４】
また、携帯通信端末と基地局との間の通信が双方向通信であることを述べたが、携帯通信端末のみが送信する単方向通信となるようにしても同一の効果が得られることはいうまでもない。
【００５５】
さらに、基地局が携帯通信端末からの通信を受信したときに時間の測定を開始し、測定時間が所定時間経過しても携帯通信端末からの通信を受信できなかったときは、基地局が空調機の運転を停止させるようにしたが、携帯通信端末からの通信を受信した後に、基地局からのポーリングによる空調運転データの送信要求を所定回数行っても受信されなかったときは、空調機の運転を停止させるようにしてもよい。
【００５６】
【発明の効果】
以上のように本発明によれば、基地局が無線を通じて携帯通信端末を検知したとき、その携帯通信端末のデータに基づいて、該当する空気調和機が運転されるように集中制御装置に通知するようにしたので、手元操作器を操作しなくても空調機を操作することができ、車椅子の利用者や視覚障害者にとって使い勝手がよいという効果がある。
【図面の簡単な説明】
【図１】本発明の実施の形態１を示す空調制御システムのブロック構成図である。
【図２】実施の形態１の空調制御システムにおける携帯通信端末の構成を示す回路ブロック図である。
【図３】実施の形態１の空調制御システムにおける基地局の構成を示す回路ブロック図である。
【図４】実施の形態１の動作を示すシーケンス図である。
【図５】本発明の実施の形態２を示す空調制御システムのブロック構成図である。
【図６】実施の形態２の空調制御システムにおける携帯通信端末の構成を示す回路ブロック図である。
【図７】実施の形態２の動作を示すシーケンス図である。
【図８】本発明の実施の形態３を示す空調制御システムのブロック構成図である。
【図９】実施の形態３の空調制御システムにおける携帯通信端末の構成を示す回路ブロック図である。
【図１０】実施の形態３の空調制御システムにおける基地局の構成を示す回路ブロック図である。
【図１１】実施の形態３の動作を示すシーケンス図である。
【図１２】本発明の実施の形態４を示す空調制御システムのブロック構成図である。
【図１３】実施の形態４の空調制御システムにおける携帯通信端末の構成を示す回路ブロック図である。
【図１４】実施の形態４の動作を示すシーケンス図である。
【図１５】本発明の実施の形態５を示す空調制御システムのブロック構成図である。
【図１６】実施の形態５の動作を示すシーケンス図である。
【図１７】本発明の実施の形態６を示す空調制御システムのブロック構成図である。
【図１８】空調制御システムにおける基地局を示す回路ブロック図である。
【符号の説明】
２Ａ、２Ｂ、２３Ａ、２３Ｂ、３４Ａ、３４Ｂ  基地局、３Ａ、３Ｂ  室内機、４Ａ、４Ｂ  室外機、５、１９Ａ、１９Ｂ、２４、３０Ａ、３０Ｂ  携帯通信端末、１８、２２、２９、３３、３７  集中制御装置。
【図１】
2004293944.tif 000003
【図２】
2004293944.tif 000004
【図３】
2004293944.tif 000005
【図４】
2004293944.tif 000006
【図５】
2004293944.tif 000007
【図６】
2004293944.tif 000008
【図７】
2004293944.tif 000009
【図８】
2004293944.tif 000010
【図９】
2004293944.tif 000011
【図１０】
2004293944.tif 000012
【図１１】
2004293944.tif 000013
【図１２】
2004293944.tif 000014
【図１３】
2004293944.tif 000015
【図１４】
2004293944.tif 000016
【図１５】
2004293944.tif 000017
【図１６】
2004293944.tif 000018
【図１７】
2004293944.tif 000019
【図１８】
2004293944.tif 000020